(57)【特許請求の範囲】
【請求項１】
ａ．荷運搬体（１０）と、
ｂ．少なくとも１つの中央歩行エレメント（８０，９０，１００）、第１側部歩行エレメント（２０）及び第２側部歩行エレメント（５０）であって、前記少なくとも１つの中央歩行エレメント（８０，９０，１００）が前記２つの側部歩行エレメント（２０，５０）の間に配置される歩行エレメントと、を有し、
ｃ．前記歩行エレメント（２０，５０，８０，９０，１００）は前記荷運搬体（１０）に該荷運搬体（１０）に対して上下に移動可能に配設され、
ｄ．前記側部歩行エレメント（２０，５０）は垂直アクチュエータ（２６，５６）により前記中央歩行エレメント（８０，９０，１００）から独立に、かつお互いに独立に上下に移動することができ、
ｅ．前記歩行エレメント（２０，５０，８０，９０，１００）は前記荷運搬体（１０）に該荷運搬体（１０）に対し水平方向において前後に移動可能に配設され、
ｆ．前記第１側部歩行エレメント（２０）、前記第２側部歩行エレメント（５０）及び前記少なくとも１つの中央歩行エレメント（８０，９０，１００）は水平アクチュエータ（２８，５８）によりお互いに独立に前後に移動することができ、
ｇ．前記荷運搬体（１０）が、前記歩行エレメント（２０，５０，８０，９０，１００）から独立して水平に移動するように配置されて、前記輸送装置（１）及び荷の地面に対する重心の投影（１５０）を荷重の掛かった前記歩行エレメント（２０，５０，８０，９０，１００）の下又は間に維持できるようにしている、
輸送装置（１）。
【請求項２】
ａ．前記側部歩行エレメント（２０，５０）は、当該輸送装置（１）が該側部歩行エレメント（２０，５０）だけで安定して立つことができるように、歩行方向の延長部を備えた地面接触部（２４，５４）を有し、
ｂ．前記少なくとも１つの中央歩行エレメント（８０，９０，１００）は、当該輸送装置（１）が該中央歩行エレメント（８０，９０，１００）だけで安定して立つことができるように、歩行方向及び歩行方向に直交する方向の地面接触部（８４，９４，１０４）を有する、
請求項１に記載の輸送装置。
【請求項３】
前記歩行エレメント（２０，５０，８０，９０，１００）及び荷運搬体（１０）の互いに対する運動を、床に対する当該輸送装置（１）及び荷の重心の投影（１５０）が荷重の掛けられた前記歩行エレメント（２０，５０，８０，９０，１００）の下又は間に常にあるように制御するコントローラを有する請求項１又は請求項２に記載の輸送装置。
【請求項４】
車輪（３２，６２，１１２，１６４，１８４，３７０）を更に有し、当該輸送装置（１）が前記歩行エレメント（２０，５０，８０，９０，１００）により歩くことができるか、又は前記車輪（３２，６２，１１２，１６４，１８４，３７０）により走行することができる請求項１ないし３の何れか一項に記載の輸送装置。
【請求項５】
前記歩行エレメント（２０，５０，８０，９０，１００）の各々が、
ａ．各歩行エレメント（２０，５０，８０，９０，１００）に対する長方形のプレート、及び／又は
ｂ．少なくとも１つの車輪（３２，６２，１１２）、及び／又は
ｃ．少なくとも１つの円形プレート、
の形状の地面接触部（２４，５４，８４，９４，１０４）を有する請求項１ないし４の何れか一項に記載の輸送装置。
【請求項６】
該車輪（３２，６２，１１２，１６４，１８４，３７０）は、
ａ．外側側部パネル（１６０，１８０）を介して前記荷運搬体（１０）により、及び／又は
ｂ．プレート状の前記地面接触部により、及び／又は
ｃ．前記歩行エレメント（２０，５０，８０，９０，１００）のシャフト（２２，５２，８２，９２，１０２）により、及び／又は
ｄ．前記荷運搬体（１０）に接続され及び該荷運搬体（１０）から分離することができる屋内装置（３００）により、
支持することができる請求項４又は請求項５に記載の輸送装置。
【請求項７】
２つの中央歩行エレメント（９０，１００）を有し、該２つの中央歩行エレメント（９０，１００）が、前記２つの側部歩行エレメント（２０，５０）に隣接して配置されると共に互いからは離隔される請求項１ないし６の何れか一項に記載の輸送装置。
【請求項８】
前記荷運搬体（１０）が、アクチュエータ支持部分（１４）と、該アクチュエータ支持部分（１４）よりも低く配置され、前記２つの中央歩行エレメント（９０，１００）の間に配置された１以上の低い部分（１２）とを有する請求項７に記載の輸送装置。
【請求項９】
前記中央歩行エレメント（８０）が、該中央歩行エレメント（８０）を前記荷運搬体（１０）に対して垂直軸の周りで回転させるための回転アクチュエータ（１１６）を有する請求項１ないし８の何れか一項に記載の輸送装置。
【請求項１０】
前記歩行エレメント（２０，５０，８０，９０，１００）が歩行エレメント（２０，５０，８０，９０，１００）毎に２以上の垂直アクチュエータを有する請求項１ないし９の何れか一項に記載の輸送装置。
【請求項１１】
前記歩行エレメント（２０，５０，８０，９０，１００）毎の２以上の垂直アクチュエータが、
該２以上の垂直アクチュエータが回動可能に取り付けられた、歩行エレメント（２０，５０，８０，９０，１００）毎の１つの共通の地面接触部分（２４，５４，８４，９４，１０４）を有するか、又は
該２以上の垂直アクチュエータの各々が、自身の地面接触部分（２４，５４，８４，９４，１０４）を有する、
請求項１０に記載の輸送装置。
【請求項１２】
前記中央歩行エレメント（８０）は前記アクチュエータと前記地面接触部との間に、前後移動方向のローリング軸を備えたロック可能なヒンジ（１１８）を有する請求項１ないし１１の何れか一項に記載の輸送装置。
【請求項１３】
請求項１に記載の輸送装置を、障害物を乗り越えるように制御する方法であって、
ａ．少なくとも１つの歩行エレメント（２０，５０，８０，９０，１００）を、該歩行エレメントを前方及び／又は後方に移動させるために水平に移動させるステップと、
ｂ．少なくとも１つの歩行エレメント（２０，５０，８０，９０，１００）を、該歩行エレメントを障害物上に移動させるために更に上方及び／又は下方に移動させるステップと、
ｃ．前記輸送装置（１）及び荷の地面に対する重心の投影（１５０）を荷重の掛かった前記歩行エレメント（２０，５０，８０，９０，１００）の下又は間に維持するために、前記荷運搬体（１０）を前記歩行エレメント（２０，５０，８０，９０，１００）から独立に水平に移動させるステップと、
を有する方法。
【請求項１４】
前記輸送装置（１）が障害物上を通過する各フェーズにおいて地面の２つの高さレベルにのみ接触するか、又は前記輸送装置（１）が障害物上を通過する何れのフェーズにおいても地面の３以上の高さレベルに接触する請求項１３に記載の輸送装置を制御する方法。
【請求項１５】
請求項１ないし１２の何れか一項に記載の輸送装置（１）と、人昇降／固定構造体とを有する身体障害者用輸送装置（２）であって、前記人昇降／固定構造体が、
ａ．前記荷運搬体（１０）に回動可能に接続された回動アーム（２１０）と、
ｂ．前記荷運搬体（１０）に接続されたハンドグリップ装置（２２０）と、
ｃ．前記回動アーム（２１０）の上端における胴部支持具（２３０）と、
を有する身体障害者用輸送装置。
【請求項１６】
着座した人による使用の間において腰の高さより上に延びる前記輸送装置（２）の全てのエレメントは、腰の高さ又は腰の高さ以下に下降させることができる請求項１５に記載の輸送装置（２）。
【請求項１７】
請求項１ないし１２の何れか一項に記載の輸送装置（１）であって、該輸送装置（１）は身体障害者用の屋内装置（３００）のためのデッキとして働くと共に該屋内装置（３００）を有し、前記屋内装置（３００）は前記荷運搬体（１０）に接続される一方、該荷運搬体（１０）から分離可能であり、前記屋内装置（３００）は該屋内装置（３００）及び前記輸送装置（１）を操縦するための車輪（３７０）及び少なくとも１つのモータ、並びに回動アーム（３１０）を有し、前記屋内装置（３００）は身体障害者が立位及び座位で動き回ることを可能にする輸送装置（１）。
【発明の詳細な説明】
【技術分野】
【０００１】
本発明は、障害物上を通過する（通り抜ける）ことができる輸送装置に関する。特に、本発明による輸送装置は障害者が動き回り及び特には階段等の障害物を通過することを可能にする。
【背景技術】
【０００２】
障害物を通過することができる輸送装置は従来技術において種々の実施態様で知られている。これら装置は、例えば、車輪又はキャタピラ等により駆動され得る。他の輸送装置は、脚を備え、歩行的に動き回ることができる。
【０００３】
障害者のための移動支援装置は、近年、車輪を備えた手動又は電動車椅子の種類で提供されている。このような移動支援装置により、身体障害者の移動性は日常生活において大きく改善された。しかしながら、電動又は手動車椅子は障害物を通過する能力に欠けるという欠点を有し、建物の内外の幾つかの場所には殆ど又は全く接近することができない。身体障害者の日常生活における最も重要なことは、階段を登る能力である。
【０００４】
より新しい開発において、このような移動支援装置には障害を通過するための更なる装置が設けられている。しかしながら、このような装置は通常は構造が非常に複雑である。
【０００５】
国際特許出願公開第WO2009/051574A1号公報は、二足又は多脚ロボット装具又は外骨格システムを開示している。該システムは、人の歩行原理を用いている。
【０００６】
米国特許第5,653,301号公報は、階段を上り下り（登り降り）するために使用される車輪支援装置を開示している。このような装置により、身体障害者は介助者の助けなしで階段を上ることができる。この装置は、該装置の主フレーム内に配置されると共に該フレームに滑動可能に接続された第１キャリッジユニットを使用する。第２キャリッジユニットは該第１キャリッジユニットに滑動可能に相互接続されると共に、下側地面係合部を備えている。更に、該装置は、階段を上るために第１及び第２の伸長可能な脚を使用する。該装置は、階段を踏むために自身の車輪を付加的に使用するので、階段を上る間の該装置の安定性は低下される。更に、この方法は平坦な地面上では弱い転動特性を有する小さな車輪を必要とする。
【０００７】
国際特許出願公開第WO01/53137A1号公報は、非平坦な表面上を移動するための他の輸送装置を開示している。該輸送装置は当該車両の両側に、下端に駆動輪を備えた少なくとも３本のアクチュエータ脚を有している。階段を上るために、上記車輪は階段を踏むと共に、当該車輪を駆動する駆動モータにより前方に移動する。ここでも、この装置は上記車輪が小さな直径を有することを要し、これら車輪は平坦な地上では弱い転動特性を有する。更に、この解決策は、踏み段に対する上記車輪の転動接触により安定性が欠ける。
【先行技術文献】
【特許文献】
【０００８】
【特許文献１】国際特許出願公開第WO2009/051574A1号公報
【特許文献２】米国特許第5,653,301号公報
【特許文献３】国際特許出願公開第WO01/53137A1号公報
【発明の概要】
【発明が解決しようとする課題】
【０００９】
上述した従来技術に基づいて、本発明の課題は、障害物を通過することができ、改善された安定性を有し、構造が余り複雑でなく、少ない空間しか必要とせず、汎用的に使用可能であり、特に身体障害者のための移動支援装置として使用されることを可能にする輸送装置を提供することである。
【課題を解決するための手段】
【００１０】
上記課題は、請求項１に記載の輸送装置により、請求項１４に記載の輸送装置を制御する方法により、及び請求項１６に記載の身体障害者用輸送装置により解決される。
【００１１】
特に、上記課題は荷運搬体、少なくとも１つの中央歩行エレメント、第１側部歩行エレメント及び第２側部歩行エレメントを有する輸送装置により解決され、上記少なくとも１つの中央歩行エレメントは上記２つの側部歩行エレメントの間に配置され、上記歩行エレメントは上記荷運搬体に該荷運搬体に対して上下に移動可能に配設され、上記側部歩行エレメントは垂直アクチュエータにより上記中央歩行エレメントから独立に上下に移動することができ、上記歩行エレメントは上記荷運搬体に該荷運搬体に対し水平方向において前後に移動可能に配設され、上記側部歩行エレメントは水平アクチュエータにより上記中央歩行エレメントから独立に前後に移動することができる。
【００１２】
該輸送装置は如何なる種類の物品及び身体障害者を輸送するためにも使用することができる。該輸送装置は、例えば輸送ボックス、座席、起立している人を支持する装置等を取り付けることにより所望の使用状況に非常に柔軟に適合することが可能な荷運搬体を有する。特に、該輸送装置は、好ましくは電動車輪を持つ身体障害者用の屋内装置のためのデッキ（荷台）として使用することができる。このような屋内装置は該輸送装置に接続することができると共に、該輸送装置から分離することができる。
【００１３】
本発明の基本原理は、一方においては、荷運搬体に対して上下及び前後に移動可能な歩行エレメントを設けることにより、一方において障害物を通過することを可能にするような当該輸送装置の歩行運動を実行することが可能になるという事実に存在する。更に、この構成により、床に対し荷運搬体を水平方向において前後に移動させて、実際に地面に接触する歩行エレメント上で重心を移動させることが可能になる。このように、荷運搬体並びに搭載された物体及び／又は人を歩行エレメントとは独立に移動させることができ、床に対する重心の投影を、この時点で地面に接している歩行エレメント上又は斯かる歩行エレメントの間で移動させることができる。従って、該輸送装置は常に安定的にバランスされたままとなり、例えば階段等の障害物上を安全に歩行することができる。
【００１４】
その時点で荷重が掛かっていない歩行エレメントは、当該輸送装置の他のエレメントから独立に前後及び上下に移動することができる。この構成により、当該輸送装置を、一方においては異なる荷重の配分に、他方においては該輸送装置が移動している地面の現在の形状に適合させることが可能になる。これにより、勿論、全体の系のバランスが維持されることを保証することができる。
【００１５】
好ましくは、全ての歩行エレメントは互いに独立に上下及び／又は前後に移動することができるものとする。従って、該輸送装置は、特定の状況に対応するために登る方法を変化させることができる。例えば、異なるタイプの階段の踏み段（ステップ）、畝等を通過することができる。このことは、特に人を運搬する際の変化する荷重分布に鑑みて有利である。
【００１６】
好ましくは、前記側部歩行エレメントは、当該輸送装置が該側部歩行エレメントで単独に安定して立つことができるように、横方向の延長部を備えた地面接触部を有し、前記少なくとも１つの中央歩行エレメントは、当該輸送装置が該中央歩行エレメントで単独に安定して立つことができるように、横方向及び直交方向の地面接触部を有する。これにより、該輸送装置は中央歩行エレメントだけで又は側部歩行エレメントだけで立つ場合でさえ、当該移動の如何なるフェーズにおいても安定である。
【００１７】
好ましくは、当該輸送装置は上記歩行エレメント及び荷運搬体の互いに対する運動を、床に対する該輸送装置及び荷の重心の投影が常に荷重の掛けられた歩行エレメントの下又は間にあるように制御するコントローラを有する。床に対する当該輸送装置及び荷の重心の投影が常に荷重の掛けられた歩行エレメントの下又は間にある場合、該輸送装置は安定した条件にある（即ち、一方向に傾き又は倒れない）。上記コントローラは歩行エレメント及び荷運搬体の移動を制御し、これにより当該系が該移動の全てのフェーズにおいて安定したままでいることを可能にする。そのようにするために、上記コントローラは、力センサ、距離センサ、光センサ、カメラ、傾斜センサ又は当該コントローラに対して地面の現在の状態及び荷を含む当該輸送装置の現在の力分布を通知する他の適切なセンサと協働することができる。このような力センサ及び／又は距離センサは、好ましくは、上記歩行エレメントに組み込まれる。
【００１８】
好ましい実施態様において、当該輸送装置は車輪を更に有し、該輸送装置は前記歩行エレメントにより歩くことができるか、又は上記車輪により走行することができる。これにより、移動原理を地面の表面に従って選択することができる。平坦な表面が与えられた場合、該輸送装置は自身の車輪で走行することができ、これは上記歩行エレメントで歩くよりも大幅に速くなる。一方、表面が非平坦であるか、又は階段等の障害物を有する場合、当該輸送装置は、車輪では不可能であろう斯様な障害物を乗り越えるために自身の歩行エレメントを使用することができる。
【００１９】
好ましくは、上記歩行エレメントは、各歩行エレメントに関して長方形の形状の（その場合、中央歩行エレメントは好ましくは側部歩行エレメントとは異なる寸法を有する）、及び／又は少なくとも１つの車輪の形状の、及び／又は少なくとも１つの円形プレートの形状の地面接触部を有する。これら歩行エレメントの地面接触部は、異なる形態、形状及び／又は寸法を有することができる。特に、プレート状の地面接触部を備えた実施態様に対しては、中央歩行エレメントが２つの側部歩行エレメントのものより大きな寸法の地面接触部を有し、該中央歩行エレメント単独で安定に立つようにすることが好ましい。
【００２０】
好ましくは、当該輸送装置が車輪を有する場合、これら車輪は長方形プレート及び円形プレートと組み合わすことができるものとする。この場合、上記車輪は当該輸送装置が平らな地上を移動している際に代替的移動方法を提供する一方、上記プレートは障害物を通過するために使用される。
【００２１】
好ましくは、当該輸送装置は車輪を有し、該車輪は外側側部パネルを介して荷運搬体により支持することができ、及び／又はプレート状の地面接触部により支持することができ、及び／又は歩行エレメントのシャフト及び／又は上記荷運搬体に接続されると共に該荷運搬体から分離することができる屋内装置により支持することができる。当該輸送装置に車輪を、該輸送装置がプレートでの歩行又は車輪での走行から切り替えることができるように取り付ける幾つかの方法が存在する。１つの構造的代替法を選択することにより、当該輸送装置はユーザの特定の要件に適合させることができる。最も容易な方法において、車輪は荷運搬体に対して、歩行及び走行の間の切り替えが歩行エレメントを単に引っ込めることにより実行されるように、支持される。
【００２２】
車輪がプレート状地面接触部に取り付けられる場合、これらは好ましくは別のアクチュエータにより上下に移動可能なものとする。従って、歩行エレメントの調整された伸長により当該荷運搬体が水平のままで、斜面を上下に走行することが可能となる。
【００２３】
好ましくは、当該輸送装置は２以上の中央歩行エレメント（好ましくは２つの中央歩行エレメント）を有し、該２以上の中央歩行エレメントは、前記２つの側部歩行エレメントに隣接して配置されると共に互いからは離隔される。本発明は、１つのみの中央歩行エレメントを備える実施態様に限定されるものではない。荷運搬体がどの様に形成されるか及び荷がどの様に運搬されるかの方法が一層柔軟となるように、２以上の中央歩行エレメントを設けることも可能である。このことは、当該輸送装置を特定の使用事例に適合させることを可能にする。
【００２４】
好ましくは、上記荷運搬体は高い（上寄りの）アクチュエータ支持部分と、１以上の低い（下寄りの）部分とを有する。特に物品又は人を運搬するために設計された実施態様の場合、荷運搬体に対して荷重を可能な限り地面に対し低く掛けることが好ましい。このような用途の場合、２つの側部歩行エレメント及び１つの中央歩行エレメント、並びに上記中央歩行エレメントと各一方の側部歩行エレメントとの間の、人が足を置くことができる当該荷運搬体の２つの低い部分（低下部分）を有することが有益であり得る。
【００２５】
好ましくは、中央歩行エレメントは、荷運搬体に対する中央歩行エレメントの垂直軸の周りでの回転のための回転アクチュエータを有する。このような回転アクチュエータの使用により、当該輸送装置の輸送の間における歩行又は走行方向を変えることができる。該中央回転エレメントは、好ましくは、荷運搬体と中央水平アクチュエータとの間、又は垂直アクチュエータと該中央歩行エレメントのシャフトとの間に配置することができる。
【００２６】
好ましくは、前記歩行エレメントは歩行エレメント毎に２以上の垂直アクチュエータを有し、これら垂直アクチュエータは前後の移動方向に順に配置される。本発明は、歩行エレメント毎に１つの垂直アクチュエータしか備えない実施態様に限定されるものではない。例えば、１つの大きな強力なものより、より小さなパワーの２つのアクチュエータを使用することが望まれ得る。このことは、更に、当該輸送装置が斜面上を歩行し、荷運搬体を水平に保つことができることを可能にする。
【００２７】
好ましくは、歩行エレメント毎の上記２以上のアクチュエータは、該２以上の垂直アクチュエータが回動可能に取り付けられた歩行エレメント毎の１つの共通の地面接触部分を有するか、又は該２以上の垂直アクチュエータの各々が自身の地面接触部分を有する。この構成は、非平坦な地面、特には移動方向に傾斜された地面を補償することを可能にする。上記２以上のアクチュエータは、荷運搬体を水平に維持しながら、上記地面接触部を地面に対して平行となるよう調整することができる。従って、該輸送装置は、例えば地面が傾斜していても、中央歩行エレメントだけで安定に立つことができる。傾斜の補償は、各アクチュエータの高さを荷運搬体が水平に留まるか又は何れかの所望の向きに配されるように調整することにより実行される。
【００２８】
好ましくは、１つの地面接触部が２以上の垂直アクチュエータに取り付けられる場合、該地面接触部の垂直アクチュエータに対する接続は、ピッチ軸の周りでの回転運動を可能にするヒンジにより実施されるものとする。他の代替例では、各アクチュエータが自身の小さな点状の地面接触部を有する。
【００２９】
好ましくは、中央歩行エレメントはアクチュエータと地面接触部との間にロック可能なヒンジを有し、該ロック可能なヒンジは前後移動方向の回転軸を有する。当該輸送装置が２つの側部歩行エレメントだけて立っている場合、前後方向に直交する方向の傾斜は、これら２つの側部歩行エレメントを異なる高さに調整することにより補償することができる。また、このような傾きを補償するために、当該輸送装置が中央歩行エレメントのみで立っている場合、該輸送装置はアクチュエータと地面接触部との間に、前後移動方向の回転軸を持つロック可能なヒンジを有する。好ましくは、このヒンジは、中央歩行エレメントが床に下降される場合にロック解除される（即ち、回転することができる）。該中央歩行エレメントの地面接触部が地面に完全に接触し、これにより該地面の向きに順応した場合、該ヒンジはロックされる。このようにして、当該輸送装置が中央歩行エレメントのみで立つ場合においても、該輸送装置はわきに傾くことはあり得ず、荷運搬体は所望の角度に維持される。
【００３０】
前述した課題は、上述した輸送装置を、障害物を通過するように制御する方法によっても解決され、該方法は、
（ａ）少なくとも１つの歩行エレメントを、該歩行エレメントを前方及び／又は後方に移動させるために水平に移動させるステップと、
（ｂ）上記少なくとも１つの歩行エレメントを、該歩行エレメントを障害物上に移動させるために上方及び／又は下方に移動させるステップと、
（ｃ）当該輸送装置及び荷の床に対する重心の投影を、荷重の掛かった前記歩行エレメント（又は複数のエレメント）の下又は間に維持するために、前記荷運搬体を前記歩行エレメント（又は複数のエレメント）から独立に水平に移動させるステップと、
を有する。
【００３１】
前記輸送装置及び荷の床に対する重心の投影を、荷重の掛かった前記歩行エレメント（又は複数のエレメント）の下又は間に維持することにより、荷を含む当該輸送装置全体が常に安定な状態にあることが保証される。荷運搬体の位置を歩行エレメントから独立に変化させることにより、当該輸送装置は水平面における移動軸に直交する軸の周りでのバランスを確実にする。
【００３２】
好ましくは、当該輸送装置は障害物を通過する各フェーズにおいて２つ以下の高さレベルにしか接触しないものとする。一代替例において、当該輸送装置の歩行方法は２つの異なるフェーズを有する。第１フェーズにおいて、該輸送装置は２つの側部歩行エレメントで立ち、次いで、少なくとも１つの中央歩行エレメントは別の位置に移動され、第２フェーズにおいて、該輸送装置は該中央の脚で立つ。続いて、荷運搬体が、地面に対する重心の投影が該中央の脚の下に位置するように移動される。このように、特に階段を上る場合、当該輸送装置は２つの異なる階段の踏み段でしか立つ必要がない。
【００３３】
他の好ましい実施態様において、当該輸送装置は障害物を通過する１以上のフェーズにおいて３以上の高さレベルに接触する。この代替的歩行方法において、側部歩行エレメントは、例えば階段の異なる踏み段に接触するようにして、異なる高さレベル上にあり得る。このことは、輸送装置の安定性を改善する。
【００３４】
前述した課題は身体障害者用輸送装置によっても解決され、該身体障害者用輸送装置は、前述した輸送装置と、前記荷運搬体に回動可能に接続された回動アーム、支持構造体及び上記回動アームの上端の胴部支持具を有する人昇降／固定構造体とを有する。前記輸送装置の前述した実施態様を、身体障害者が動き回り、これにより障害物を通過することを可能にするために使用することができる。この目的のために、該輸送装置は人昇降／固定構造体を更に有する。
【００３５】
上記人昇降／固定構造体は、上記輸送装置に固定される。このような構成を有すれば、身体障害者が座位又は横臥位から当該輸送装置上に立つ位置まで移動するための、別個の昇降構造体等の他の技術的支援システムは必要とされない。
【００３６】
上記輸送装置は、座っている身体障害者が上記胴部支持具により該輸送装置の下方に回動された上記回動アームに固定され、該回動アームにより該輸送装置上で人が立つ立ち位置まで持ち上げられることを可能にする。
【００３７】
上記胴部支持具の人の身体に対する１以上のベルトによる固定のために、歩行エレメントによる荷運搬体を上昇又は下降させる可能性が利用される。これにより、人の脚を荷運搬体により持ち上げることができるので、上記ベルトの人に対する固定が容易化される。
【００３８】
好ましくは、着座した人による使用の間における当該輸送装置の腰の高さより上に延びる全てのエレメントは、この高さ又はそれ以下に下降させることができる。このことは、該人に対して完全な視界を可能にすると共に、当該輸送装置に結ばれたままの人による通常の机又は他の家具の使用を可能にする。
【００３９】
好ましくは、当該輸送装置は身体障害者用の屋内装置のためのデッキ（荷台）として働くと共に、斯かる屋内装置を有し、該屋内装置は前記荷運搬体に接続される一方、該荷運搬体から分離可能である。この屋内装置は、該屋内装置及び上記輸送装置を操縦するための車輪及び少なくとも１つのモータ、並びに回動アームを有し、該屋内装置は身体障害者が立位及び座位で動き回ることを可能にする。上記輸送装置は、主に屋内で使用される身体障害者用の移動支援装置を運搬することができる。当該輸送装置は障害物を容易に乗り越える又は階段を上ることさえできるので、上記屋内装置を該輸送装置に接続することにより、同じ移動支援装置を屋外でも使用することができる。これにより、身体障害者用のモジュール型移動支援装置が提供される。更に好ましい実施態様は、従属請求項から得られる。
【００４０】
本発明の好ましい実施態様は、添付図面を参照して後述される。
【図面の簡単な説明】
【００４１】
【図１】図１は当該輸送装置の第１実施態様の立体図であり、最小形状を示す。
【図２】図２は当該輸送装置の第１実施態様の立体側面図であり、該輸送装置が上昇された位置で中央地面接触部のみで立ち、横方向に延長された側部歩行エレメントを伴っていることを示す。
【図３】図３は当該輸送装置の第１実施態様の立体図であり、該輸送装置が上昇された位置で３つの全ての地面接触部で立ち、横方向に最大に延長された側部歩行エレメントを伴っていることを示す。
【図４ａ】図４ａは当該輸送装置の第１実施態様により階段を上る好ましい方法を最初の時間順序図で示す。
【図４ｂ】図４ｂは当該輸送装置の第１実施態様により階段を上る好ましい方法を次の時間順序図で示す。
【図４ｃ】図４ｃは当該輸送装置の第１実施態様により階段を上る好ましい方法を次の時間順序図で示す。
【図４ｄ】図４ｄは当該輸送装置の第１実施態様により階段を上る好ましい方法を次の時間順序図で示す。
【図４ｅ】図４ｅは当該輸送装置の第１実施態様により階段を上る好ましい方法を次の時間順序図で示す。
【図４ｆ】図４ｆは当該輸送装置の第１実施態様により階段を上る好ましい方法を次の時間順序図で示す。
【図４ｇ】図４ｇは当該輸送装置の第１実施態様により階段を上る好ましい方法を次の時間順序図で示す。
【図４ｈ】図４ｈは当該輸送装置の第１実施態様により階段を上る好ましい方法を次の時間順序図で示す。
【図５】図５は当該輸送装置の第２実施態様の立体側面図であり、該輸送装置が第１実施態様と較べて長い垂直アクチュエータ及びシャフトを備え、該輸送装置が他の階段を上る方法を実行することを示す。
【図６】図６は当該輸送装置の第２実施態様の立体側面図であり、該輸送装置を、階段を上る上記他の方法の他のフェーズで示している。
【図７】図７は当該輸送装置の第３実施態様の立体図であり、荷運搬体のアクチュエータ支持部の間の２つの低い部分を示している。
【図８】図８は当該輸送装置の第３実施態様の立体正面図である。
【図９】図９は当該輸送装置の第４実施態様の立体図であり、２つの分離された中央歩行エレメント及び、これら２つの中央歩行エレメントの間の荷運搬体の１つの中央の低い部分を示している。
【図１０】図１０は当該輸送装置の第４実施態様の立体図であり、該輸送装置が上昇された位置において１つの中央歩行エレメント及び１つの側部歩行エレメントで、部分的に変位された歩行エレメントを伴って立っていることを示している。
【図１１】図１１は当該輸送装置の第５実施態様の概略正面図であり、荷運搬体に固定された側部に取り付けられた車輪を示している。
【図１２】図１２は当該輸送装置の第５実施態様の立体図である。
【図１３】図１３は当該輸送装置の第５実施態様の立体図であり、該輸送装置が上昇された位置において２つの側部歩行エレメントで立っていることを示している。
【図１４】図１４は当該輸送装置の第６実施態様の概略正面図であり、歩行エレメントのシャフトに取り付けられた車輪を示している。
【図１５】図１５は当該輸送装置の第６実施態様の立体図であり、該輸送装置を横方向に最大に延長された歩行エレメントと共に示している。
【図１６】図１６は当該輸送装置の第６実施態様の立体図であり、該輸送装置が上昇された位置において横方向に延長された歩行エレメントを伴って３つの全ての地面接触部で立っていることを示している。
【図１７】図１７は当該輸送装置の第７実施態様の立体正面図であり、歩行エレメントの地面接触部に固定された垂直車輪懸架アクチュエータに取り付けられた車輪を示している。
【図１８】図１８は当該輸送装置の第７実施態様の立体正面図であり、該輸送装置が上昇された位置において横方向に延長された歩行エレメントを伴って３つの全ての地面接触部で立っていることを示している。
【図１９】図１９は当該輸送装置の第７実施態様の立体側面図であり、この輸送装置が該輸送装置の車輪で立っていることを示している。
【図２０】図２０は当該輸送装置の第７実施態様の立体側面図であり、該輸送装置が斜面を上方に進み、歩行エレメントの垂直アクチュエータが、荷運搬体が水平に留まるように駆動されていることを示している。
【図２１】図２１は当該輸送装置の第７実施態様の概略側面図であり、該輸送装置を図２０と同様の位置で示している。
【図２２】図２２は当該輸送装置の第８実施態様の概略側面図であり、歩行エレメント当たり２つの垂直アクチュエータを備えた輸送装置を示している。
【図２３】図２３は当該輸送装置の第８実施態様の立体側面図であり、該輸送装置を図２２の位置で示している。
【図２４】図２４は当該輸送装置の第８実施態様の概略側面図であり、該輸送装置の垂直アクチュエータを前側垂直アクチュエータが後側のものより多く伸長されるように駆動することにより該輸送装置が後方に傾いていることを示している。
【図２５】図２５は当該輸送装置の第８実施態様の概略側面図であり、該輸送装置の垂直アクチュエータを前側垂直アクチュエータが後側のものより少なく伸長されるように駆動することにより該輸送装置が前方に傾いていることを示している。
【図２６】図２６は当該輸送装置の第９実施態様の立体図であり、該輸送装置が後方に傾斜されると共に、水平アクチュエータと中央歩行エレメントのシャフトとの間に回転アクチュエータを有することを示している。
【図２７】図２７は当該輸送装置の第９実施態様の概略側面図であり、該輸送装置を、中央地面接触部の向きを地面の向きに順応させるフェーズで示している。
【図２８】図２８は当該輸送装置の第９実施態様の概略側面図であり、該輸送装置が、地面の向きに順応された中央歩行エレメントの地面接触部で立っていることを示している。
【図２９】図２９は図２８における位置と同様の当該輸送装置の第９実施態様の立体図である。
【図３０】図３０は当該輸送装置の第９実施態様の概略側面図であり、該輸送装置が中央地面接触部で立ち、該輸送装置が該中央地面接触部の回転アクチュエータを使用して回転されることを示している。
【図３１】図３１は当該輸送装置の第９実施態様の立体図であり、該輸送装置は上昇された位置において中央歩行エレメントのみで立っている。
【図３２】図３２は図３１の当該輸送装置の第９実施態様の立体図であり、該輸送装置は回転アクチュエータを用いて回転を行っている。
【図３３】図３３は図３１の当該輸送装置の第９実施態様の立体図であり、該輸送装置は回転アクチュエータを用いて９０度の回転を行っている。
【図３４】図３４は当該輸送装置の第１０実施態様の立体図であり、中央歩行エレメントは２組の垂直アクチュエータ及び地面接触部を有し、対応する車輪は該地面接触部の間に配置されている。
【図３５】図３５は当該輸送装置の第１１実施態様の立体図であり、側部歩行エレメントに取り付けられた基部拡大部を備えた輸送装置を示している。
【図３６】図３６は当該輸送装置の第１２実施態様の立体図であり、垂直アクチュエータ毎に別個の地面接触部を備えた輸送装置を示している。
【図３７】図３７は当該輸送装置の第１２実施態様の立体図であり、該輸送装置が第３の代替的な上る方法で階段を上っているところを示している。
【図３８ａ】図３８ａは当該輸送装置の第１３実施態様を、垂直方向に傾斜した地面上を歩く方法を図示する最初の時間順序図で示し、ここで、時間順序は図番３８，３９，４０，…により示され、同じ図番の“ａ”及び“ｂ”は同一のフェーズを異なる視点から示す。
【図３８ｂ】図３８ｂは当該輸送装置の第１３実施態様を、垂直方向に傾斜した地面上を歩く方法を図示する最初の時間順序図で示す。
【図３９ａ】図３９ａは当該輸送装置の第１３実施態様を、垂直方向に傾斜した地面上を歩く方法を図示する次の時間順序図で示す。
【図３９ｂ】図３９ｂは当該輸送装置の第１３実施態様を、垂直方向に傾斜した地面上を歩く方法を図示する次の時間順序図で示す。
【図４０ａ】図４０ａは当該輸送装置の第１３実施態様を、垂直方向に傾斜した地面上を歩く方法を図示する次の時間順序図で示す。
【図４０ｂ】図４０ｂは当該輸送装置の第１３実施態様を、垂直方向に傾斜した地面上を歩く方法を図示する次の時間順序図で示す。
【図４１ａ】図４１ａは当該輸送装置の第１３実施態様を、垂直方向に傾斜した地面上を歩く方法を図示する次の時間順序図で示す。
【図４１ｂ】図４１ｂは当該輸送装置の第１３実施態様を、垂直方向に傾斜した地面上を歩く方法を図示する次の時間順序図で示す。
【図４２ａ】図４２ａは当該輸送装置の第１３実施態様を、垂直方向に傾斜した地面上を歩く方法を図示する次の時間順序図で示す。
【図４２ｂ】図４２ｂは当該輸送装置の第１３実施態様を、垂直方向に傾斜した地面上を歩く方法を図示する次の時間順序図で示す。
【図４３】図４３は当該輸送装置の第１４実施態様の立体図であり、車輪、別個の地面接触部及び結合された地面接触部の組み合わせを示し、中央歩行エレメントの車輪は垂直アクチュエータの間に配置されている。
【図４４】図４４は第１４実施態様の概略正面図であり、当該輸送装置は側部歩行エレメントの地面接触部で立っている。
【図４５】図４５は第１４実施態様の概略正面図であり、当該輸送装置は全ての地面接触部で立っている。
【図４６】図４６は身体障害者用輸送装置の概略側面図であり、該輸送装置上に人が立っている。
【図４７】図４７は身体障害者用輸送装置の概略正面図であり、図４６と同様に人が該輸送装置上に立っていることを示している。
【図４８ａ】図４８ａは身体障害者が当該輸送装置に乗り込むのを補助する方法を示す。
【図４８ｂ】図４８ｂは身体障害者が当該輸送装置に乗り込むのを補助する方法を示す。
【図４８ｃ】図４８ｃは身体障害者が当該輸送装置に乗り込むのを補助する方法を示す。
【図４９】図４９は本発明の第１６実施態様の正面図を示し、当該輸送装置は身体障害者用屋内装置のためのデッキを有している。
【図５０ａ】図５０ａは屋内装置を伴わない当該輸送装置の斜視図を示す。
【図５０ｂ】図５０ｂは屋内装置を伴わない当該輸送装置の斜視図を示す。
【図５１ａ】図５１ａは当該輸送装置に連結された屋内装置の或る斜視図を示す。
【図５１ｂ】図５１ｂは当該輸送装置に連結された屋内装置の別の斜視図を示す。
【図５１ｃ】図５１ｃは当該輸送装置に連結された屋内装置の別の斜視図を示す。
【図５１ｄ】図５１ｄは当該輸送装置に連結された屋内装置の別の斜視図を示す。
【図５２ａ】図５２ａは屋内装置を荷運搬体の低い部分に入れる１つのオプションを示す。
【図５２ｂ】図５２ｂは屋内装置を荷運搬体の低い部分に入れる別のオプションを示す。
【図５３ａ】図５３ａは荷運搬体の低い部分上へと前方に進められた屋内装置の或る斜視図を示す。
【図５３ｂ】図５３ｂは荷運搬体の低い部分上へと前方に進められた屋内装置の別の斜視図を示す。
【発明を実施するための形態】
【００４２】
以下、本発明の好ましい実施態様を、添付図面を参照して説明する。尚、明示的に言及されなくても、或る実施態様のフィーチャは、適切ならば、他の実施態様においても同様に用いることができる。
【００４３】
図１は輸送装置１の第１実施態様の立体図を示すもので、輸送装置１の最小形状を示している。輸送装置１は荷運搬体１０、第１側部歩行エレメント２０、第２側部歩行エレメント５０及び中央歩行エレメント８０を有している。歩行エレメント２０，５０，８０は、シャフト２２，５２，８２、垂直アクチュエータ２６，５６，８６及び地面接触部２４，５４，８４からなっている。歩行エレメント２０，５０，８０は荷運搬体１０に水平アクチュエータ２８，５８，８８を介して取り付けられている。符号１５０は、地面に投影された、負荷（荷）を含む当該輸送装置１の重心を示している。
【００４４】
歩行エレメント２０，５０，８０の垂直アクチュエータ２６，５６，８６は、地面接触部２４，５４，８４と荷運搬体１０との間の距離を変化させるために伸長又は収縮（短縮）することができる。第１実施態様において、第１及び第２側部歩行エレメント２０，５０は常に並行して動作する。即ち、水平アクチュエータ２８，５８又は垂直アクチュエータ２６，５６の全ての作動は２つの側部歩行エレメントに対し並行してなされる。前述したように、歩行エレメントは荷運搬体１０に水平アクチュエータ２８，５８，８８により取り付けられている。これらの水平アクチュエータ２８，５８，８８は、歩行エレメント２０，５０，８０の位置とは独立に、荷運搬体１０を歩行方向において前後に移動させることができる。その結果、歩行エレメント２０，５０，８０は荷運搬体１０に対して水平方向に移動され得る。１個又は可能性として２つの歩行エレメントが地面に接触していない場合、これら歩行エレメントを、荷運搬体１０を移動させることなく、地面に対して前後に移動させることができる。
【００４５】
図２は輸送装置１の第１実施態様の立体側面図を示すもので、該輸送装置１が上昇された位置で中央の地面接触部８４のみで立っているところを示している。側部歩行エレメント２０，５０は横方向に延長されている。図２は、２つの側部歩行エレメント２０，５０によりなされる歩進運動を実行する方法を示している。従って、垂直アクチュエータ８６が、荷を含む輸送装置１全体を下降させるように駆動されるか、又は側部歩行エレメント２０，５０の垂直アクチュエータ２６，５６を伸長することにより、該側部歩行エレメント２５，５０の地面接触部２４，５４を下降させる。次いで、次のフェーズ（図２には示されていない）において、３つの水平アクチュエータ２８，５８，８８を荷運搬体１０が自身の荷と共に中央歩行エレメント８０から側部歩行エレメント２０，５０上へ移動するように作動させることにより、荷運搬体１０を前方に移動させることができ、これにより重心を側部歩行エレメント２０，５０上にずらす。
【００４６】
図３は当該輸送装置の第１実施態様の立体図を示すもので、該輸送装置が上昇された位置で３つの全地面接触部２４，５４，８４で立ち、歩行エレメント２０，５０，８０が横方向に最大に延長されていることを示している。可能な限りコンパクトとなっている輸送装置１を示す図１に対して、図３は他の極端状態、即ち全アクチュエータ２６，２８，５６，５８，８６，８８の最大伸長状態を示している。
【００４７】
一連の図４ａ〜４ｈは、当該輸送装置の第１実施態様により階段を上る好ましい方法を時間順序図で示す。図４ａにおいて、輸送装置１は中央歩行エレメント８０で立ち、該中央歩行エレメント８０の垂直アクチュエータ８６は伸長されている。荷運搬体１０は該中央歩行エレメント８０の地面接触部８４上に位置する。このように、床上に投影された投影重心１５０は、中央歩行エレメント８０の地面接触部８４の下に位置する。２つの側部歩行エレメント２０，５０は階段の最初の踏み段上に位置され、これら側部歩行エレメント２０，５０の水平アクチュエータ２８，５８は移動方向に延長されている。
【００４８】
図４ｂは当該歩行方法の次のフェーズを示し、荷運搬体１０は２つの側部歩行エレメント２０，５０上まで前方に移動されている。このように、投影重心１５０も移動方向において前方に移動される。荷運搬体１０を地面に対して歩行エレメント２０，５０，８０の何れも移動させずに移動させるためには、該荷運搬体１０を移動させるために歩行エレメント２０，５０，８０の全水平アクチュエータ２８，５８，８８を駆動する必要がある。
【００４９】
図４ｃは次のフェーズを示し、該フェーズにおいては中央歩行エレメント８０の垂直アクチュエータ８６が、該中央歩行エレメント８０の地面接触部８４が上昇されるように駆動される。この位置において、重心の投影１５０は、地面接触部２４，５４のうちの対応する階段の踏み段に接触する部分の間に安定して位置され、従って荷を含む当該輸送装置１全体は安定である。
【００５０】
図４ｄは当該階段を上る方法の次のフェーズを示し、該フェーズにおいては先ず側部歩行エレメント２０，５０の垂直アクチュエータ２６，５６が、荷運搬体１０が上昇されると共に該荷運搬体１０に固定された中央歩行エレメントも引き上げられるように、伸長される。次いで、中央歩行エレメント８０の水平アクチュエータ８８が、該中央歩行エレメント８０が歩行方向の前方に向かって当該階段の次の踏み段に到達するまで、駆動される。
【００５１】
図４ｅは当該階段を上る方法の次のフェーズを示し、該フェーズにおいて、荷運搬体１０は、歩行エレメント２０，５０，８０の３つのアクチュエータ２８，５８，８８を該荷運搬体１０が中央歩行エレメント８０上に位置するように駆動することにより、前方に進められる。このことは、重心１５０の投影を、側部歩行エレメント２０，５０を当該階段の対応する踏み段から上昇させることができるように、歩行方向の次の踏み段に移動させる。
【００５２】
図４ｆに示す次のフェーズにおいて、中央歩行エレメント８０の垂直アクチュエータ８６は荷運搬体１０が上昇されるように伸長される。側部歩行エレメント２０，５０は垂直アクチュエータ２８，５８を介して荷運搬体１０に固定されているので、これら歩行エレメントも引き上げられる。前述したように、このフェーズにおいて、投影される重心１５０は中央歩行エレメント８０の地面接触部８４のうちの当該階段踏み段に接触する部分に位置される。このように、該フェーズにおいては荷を含む当該輸送装置１全体は安定である。
【００５３】
次いで、２つの側部歩行エレメント２０，５０は、水平アクチュエータ２８，５８を当該側部歩行エレメント２０，５０の地面接触部２４，５４が当該階段の次の踏み段に到達するまで駆動することにより、階段を上る方向において前方に移動される。
【００５４】
図４ｇは側部歩行エレメント２０，５０が当該階段の上記次の踏み段に到達した後の終了姿勢を示す。かくして、階段の２つの踏み段を上る登りサイクルが完了し、当該輸送装置１の姿勢は図４ａにおけるものと同一となる。荷を含む輸送装置１全体が階段の２つの踏み段を上ったことが分かるであろう。
【００５５】
図４ｈは、図４ｂと同様に、歩行エレメント２０，５０，８０の３つの水平アクチュエータ２８，５８，８８を駆動することにより荷運搬体１０が階段を上る方向における前方に進められた場合の姿勢を示している。このことは、重心１５０を次の歩行運動のために前方にずらすために荷運搬体１０を歩行エレメント２０，５０，８０の何れも動かすことなく移動させるために必要である。
【００５６】
図５は当該輸送装置１の第２実施態様の立体側面図を示すもので、第１実施態様と比較して一層長い垂直アクチュエータ２６，５６，８６及びシャフト２２，５２，８２を備えた輸送装置１を示し、該輸送装置１は階段を上る他の変形方法を実行する。より長い歩行エレメント２０，５０，８０を設けたことにより、当該輸送装置１は３以上の異なるレベルの高さ（特には、階段の踏み段）で立つことができる。従って、輸送装置１が、少なくともある時は、３以上の階段踏み段で立つような幾つかの他の階段を上る方法を実現することができる。
【００５７】
図６は当該輸送装置１の第２実施態様の立体側面図を示すもので、該輸送装置１を、当該階段を上る上記代替方法の他のフェーズにおいて示している。図５と比較して、図６の輸送装置１は第１側部歩行エレメント２０を、対応する水平アクチュエータ２８を該第１側部歩行エレメント２０の地面接触部２４が当該階段の次の踏み段上に位置するまで前方に駆動することにより、前方に移動している。この階段を上る代替方法においては、地面に投影される重心１５０が中央歩行エレメント８０の地面接触部８４の下又は２つの側部歩行エレメント２０，５０の間に安定に位置することが常に保証される。
【００５８】
図７及び図８は輸送装置１の第３実施態様の立体図を示すもので、荷運搬体１０におけるアクチュエータ支持部１４の間に配置された２つの低い部分（低下部）１２を示している。当該輸送装置１の幾つかの用途例に対しては、全体の重心を可能な限り低く配置することが望ましい。例えば輸送装置１により人が運ばれねばならない場合、該人は足を上記２つの低下部１２に位置させることができる。
【００５９】
図９及び１０は輸送装置１の第４実施態様の立体図を示すもので、該輸送装置は２つの中央歩行エレメント９０，１００と、これら２つの中央歩行エレメント９０，１００の間の荷運搬体１０の１つの中央低下部１２とを備えている。この実施態様は、重心を低下させるために好ましくは物品を輸送するために使用されると考えられる。該実施態様は、前に移動する又は障害物を通り抜ける間に座っていることを好む人を運搬するための移動支援装置を提供すべく、座席を取り付けるために用いることもできる。上記２つの中央歩行エレメント９０，１００は、図１に示した第１実施態様の側部歩行エレメント２０，５０と同等の部品を、即ちシャフト９２，１０２、地面接触部９４，１０４、垂直アクチュエータ９６，１０６及び水平アクチュエータ９８，１０８を有している。
【００６０】
図１０において、輸送装置１は１つの中央歩行エレメント９０及び１つの側部歩行エレメント５０で立つ僅かに上昇された姿勢を有し、歩行エレメント２０，５０，９０，１００は部分的に僅かに変位されている。図１０では、歩行エレメント２０，５０，９０，１００の垂直アクチュエータ２６，５６，９６，１０６及びそれに加えて水平アクチュエータ２８，５８，９８，１０８を互いに独立に駆動することができることが明らかに分かる。従って、当該輸送装置１を、階段、何らかの種類の他の障害物及び地面の表面構造を含む周囲環境の種々の条件に、特に地面の区域の高さの変化に適応させることができる。
【００６１】
図１１〜１３は輸送装置１の第５実施態様を示すもので、該輸送装置は荷運搬体１０の側板１６０，１８０に取り付けられた車輪１６４，１８４を有している。側板１６０，１８０は荷運搬体１０に又は該荷運搬体１０の一部に固定されている。歩行による移動に加えて、該第５実施態様は車輪１６４，１８４により走行することができる。これは、地面が実質的な障害物を有さない場合、歩行よりも高速である。これにより、車輪１６４，１８４の少なくとも２つ又はそれ以上を、例えば電気モータ等の如何なるモータにより駆動することもできる。
【００６２】
図１３は輸送装置１の上記第５実施態様の立体図を示すもので、該輸送装置１を、２つの側部歩行エレメント２０，５０で立つ上昇された位置で示している。垂直アクチュエータ２６，５６を伸長することにより、地面接触部２４，５４が地面に接触し、車輪１６４，１８４を地面から持ち上げる。従って、車輪１６４，１８４のための追加のアクチュエータは必要とされない。
【００６３】
図１４〜１６は輸送装置１の第６実施態様を示し、該輸送装置は歩行エレメント２０，５０，８０のシャフト２２，５２，８２に取り付けられた車輪３２，６２，１１２を有している。車輪３２，６２，１１２はモータ３０，６０，１１０により駆動される。
【００６４】
図１５は輸送装置１の上記第６実施態様の立体図を示すもので、該輸送装置１を歩行エレメント２０，５０，８０が横方向に最大に延長された状態で示している。このような最大に延長された水平アクチュエータ２８，５８，８８及び歩行エレメント２０，５０，８０の引っ込められた地面接触部２４，５４，８４の配置は、所謂、“走行モード”の形態である。走行モードにおいては、荷を含む輸送装置１全体が、水平に延長された歩行エレメント２０，５０，８０により最大安定性の状態にある。しかしながら、勿論、本発明による輸送装置１は水平アクチュエータ２８，５８，８８の如何なる状態においても車輪で走行することができ、上述した“走行モード”に限定されるものではないことは明らかである。
【００６５】
図１６は輸送装置１の上記第６実施態様の立体図を示すもので、該輸送装置１が３つの全ての地面接触部２４，５４，８４で上昇された位置において立ち、歩行エレメント２０，５０，８０が水平方向に僅かに延長されていることを示している。上記車輪は歩行エレメント２０，５０，８０のシャフト２２，５２，８２に剛性的に取り付けられているという事実により、走行モードから歩行モードへ切り替えるために、歩行エレメント２０，５０，８０は垂直アクチュエータ２６，５６，８６を介して垂直方向に伸長される。
【００６６】
図１７〜２１は輸送装置１の第７実施態様を示す。該輸送装置１は垂直車輪懸架アクチュエータ３４，６４，１１４に取り付けられた車輪３２，６２，１１２を有し、上記垂直車輪懸架アクチュエータ３４，６４，１１４は歩行エレメント２０，５０，８０の地面接触部２４，５４，８４に固定されている。この構成においては、歩行エレメント２０，５０，８０に対する車輪３２，６２，１１２の垂直位置を垂直車輪懸架アクチュエータ３４，６４，１１４により能動的に変化させることができる。この実施態様は車輪３２，６２，１１２を駆動するためのモータ３０，６０，１１０を更に有している。
【００６７】
代替実施態様（図示略）においては、上記車輪３２，６２，１１２を垂直車輪懸架アクチュエータ無しで歩行エレメント２０，５０，８０の下端に取り付けることもできる。このような実施態様において、当該輸送装置は、車輪にブレーキが掛けられている場合、車輪３２，６２，１１２で歩くことができる。更に、勿論、車輪３２，６２，１１２は当該輸送装置を走行させるために使用することができる。
【００６８】
図１８は輸送装置１の上記第７実施態様の立体正面図を示すもので、該輸送装置１が上昇された位置において３つの全ての地面接触部２４，５４，８４で立ち、歩行エレメント２０，５０，８０が横方向に僅かに延長されていることを示している。
【００６９】
図１９は輸送装置１の上記第７実施態様の立体側面図を示すもので、該輸送装置１が車輪３２，６２，１１２で走行していることを示している。図１８及び１９に明確に見られるように、車輪３２，６２，１１２の垂直位置は歩行エレメント２０，５０，８０の垂直アクチュエータ２６，５６，８６の位置とは独立している。これにより、垂直車輪懸架アクチュエータ３４，６４，１１４が地面に車輪３２，６２，１１２が接触するように駆動されている場合、荷運搬体１０が上昇された当該輸送装置１を車輪３２，６２，１１２で走行することにより移動させることが可能である。
【００７０】
図２０及び２１は斜面を上方に進む輸送装置１の上記第７実施態様を示し、歩行エレメント２０，５０，８０の垂直アクチュエータ２６，５６，８６は荷運搬体１０が水平に留まるように駆動されている。図２０から理解されるように、垂直車輪懸架アクチュエータ３４，６４，１１４は互いに独立に駆動することができ、このことは、車輪３２，６２，１１２が地面接触部２４，５４，８４より下に異なるレベルまで伸長され得ることを可能にしている。これにより、図２０に示されるように、輸送装置１が斜面を上方に走行することができ、その際に荷運搬体１０が水平に留まることが可能となる。これにより、地面接触部２４，５４，８４は、当該輸送装置１が斜面を上方に走行する際に地面に接触しないように、地面から隔てられる。
【００７１】
図２２〜２５は輸送装置１の第８実施態様を示すもので、該輸送装置１は歩行エレメント２０，５０，８０毎に２つの垂直アクチュエータ４２，４６，７２，７６，１２２，１２６を有している。該第８実施態様は、側部３６，６６及び地面接触部２４，５４，８４を有し、該地面接触部２４，５４，８４は地面接触部２４，５４，８４毎に１つのヒンジ及び１つのスライドベアリングを有している。これにより、当該輸送装置１は図２４及び２５に示されるように前方に及び後方に傾くことができる。
【００７２】
図２４において、輸送装置１は、該輸送装置１の垂直アクチュエータ４２，４６，７２，７６，１２２，１２６を前側の垂直アクチュエータ４２，７２，１２２が後側のもの４６，７６，１２６より多く伸長されるように駆動することにより後方に傾斜されている。荷運搬体１０の角度の変化を地面に対する接触を失わないで達成するために、全ての前側垂直アクチュエータ４２，７２，１２２は並行して駆動されねばならず、後側垂直アクチュエータ４６，７６，１２６も並行して駆動されねばならないことは明らかである。この当該輸送装置を前後に傾斜させるフィーチャは、特別な種類の物品を輸送するために、又は投影重心１５０を荷重が掛かった地面接触部２４，５４，８４の下に移動させることにより安定な系を達成するために好ましいであろう。
【００７３】
図２５は、輸送装置１の垂直アクチュエータ４２，７２，１２２を前側垂直アクチュエータ４２，７２，１２２が後側のもの４６，７６，１２６より少なく伸長されるように駆動することによる該輸送装置１の前方への傾斜を示している。輸送装置１は図２４及び２５に示されるように自由に前後に傾斜させることができる。この運動の唯一の制限は、荷を含む当該輸送装置１が常に安定した状態にあるということである。
【００７４】
図２６〜３３は輸送装置１の第９実施態様を示し、該輸送装置１は水平アクチュエータ８８と中央歩行エレメント８０のシャフト８２との間に回転アクチュエータ１１６を有し、図２６は該輸送装置１が後方に傾斜していることを示している。
【００７５】
図２７は輸送装置１の上記第９実施態様の概略側面図を示し、該輸送装置１は中央地面接触部８４の向きを地面の向きに適合（順応）させるフェーズにある。図２７に見られるように、中央地面接触部８４は、該中央地面接触部８４が地面に接触する前に該地面の傾斜に適合される。しかしながら、地面の傾斜に対する該適合は、地面接触部８４が低下される間に実行することも可能である。特に、地面接触部８４は該地面接触部８４の第１端が地面に接触し、対応するアクチュエータが駆動を停止するまで如何なる角度でも下降され、この場合、他方のアクチュエータは地面接触部８４の対応する部分を、該地面接触部の第２端も地面に接触するまで下降させ続ける。この実施態様において、地面に到達して停止するまでに、当該地面接触部の前部か又は後部が最初に地面に接触するかは問題とはならない。
【００７６】
図２８において、当該輸送装置は中央歩行エレメント８０の順応された地面接触部８４で立っている。中央歩行エレメント８０の斯かる順応は、勿論、２つの側部歩行エレメント２０，５０に対しても実行することができる。前側垂直アクチュエータ４２，７２及び２つの後側垂直アクチュエータ４６，７６が平行的に駆動される必要はない。ということは、側部歩行エレメント２０，５０の２つの地面接触部２４，５４が平行に位置されず、これら地面接触部２４，５４が地面に接触する特定の位置で地面の向きに最適に順応されることが可能になるということである。
【００７７】
図３０において、輸送装置１は中央地面接触部８４で立っており、該輸送装置１は回転アクチュエータ１１６を使用することにより回転を行っている。
【００７８】
図３１〜３３は、輸送装置１が上昇された位置において中央歩行エレメント８０のみで立ち、回転アクチュエータ１１６により垂直軸の周りに回転する一連の図である。該回転運動は左方向及び右方向の両方向に、且つ、如何なる所望の角度にも行うことができる。
【００７９】
図３４は輸送装置１の第１０実施態様の立体図を示し、中央歩行エレメント８０は２組の垂直アクチュエータ及び地面接触部９４，１０４を有している。対応する車輪は、地面接触部９４，１０４の間に配置されている。図３４からも理解されるように、モータ３０，６０，１１０を前側及び後側アクチュエータ４２，４６；７２，７６及び１２２，１２６の間に配置することができる。これも図３４から理解することができるように、輸送装置１は該輸送装置１が走行モードとなるように車輪３２、６２，１１２で立つ。このモードにおいて、回転アクチュエータ１１６は当該輸送装置１を所望の方向に操縦するために使用することができる。
【００８０】
図３５は輸送装置１の第１１実施態様の立体図を示すもので、側部歩行エレメント２０，５０の外側に取り付けられた基部拡大部３８，６８を備える輸送装置１を示している。これらの基部拡大部３８，６８は、当該輸送装置１が立つ足場（フットプリント）を拡大するために側部歩行エレメント２０，５０の地面接触部２４，５４に支承されると共にロックされる。これは、当該輸送装置が過度に沈まないように、特に例えば砂等の軟らかい地面にとり好適である。
【００８１】
図３６〜３７は輸送装置１の第１２実施態様を示すもので、各垂直アクチュエータに対して個別の地面接触部２４，５４，８４を有している。この実施態様においても、輸送装置１を地面に適合させることが可能である。この構成は、非常に凹凸のあるタイプの地面にとり特に有利である。この実施態様において、各地面接触部２４，５４，８４は個別に上昇させ地面に適合させることができる。
【００８２】
他の実施態様において、垂直アクチュエータの板（プレート）状地面接触部２４，５４，８４は、地面が平坦である場合に当該輸送装置１が車輪で走行することができるように小さな電気的に駆動される車輪（図示略）により置換することができる。地面が平坦でない場合、輸送装置１は、単に剛的な地面接触部として働く制動された車輪で歩行することができる。
【００８３】
図３７は第３の上る方法により階段を上っている輸送装置１を示す。このような上る方法により、１つの歩行エレメントの地面接触部２４，５４，８４を異なる高さのレベル（ここでは、階段の異なる踏み段）に位置させることができることに言及されるべきである。これにより、地面接触部２４，５４，８４を複数の踏み段上に同時に位置させることができる。
【００８４】
図３８ａ〜４２ｂは輸送装置１の第１３実施態様により非平坦な地面を乗り越える方法の好ましい実施態様を時間順序図で示すもので、時間順序は図番３８，３９，４０，…により決定され、同じ図番の“ａ”及び“ｂ”は同一のフェーズであるが異なる視点からのものを示す。輸送装置１の第１３実施態様は中央歩行エレメント８０の前側垂直アクチュエータ１２２と後側垂直アクチュエータ１２６との間にヒンジ１１８を有し、該ヒンジ１１８の回転軸は当該輸送装置１の前後移動方向と平行である。このヒンジ１１８を使用することにより、中央地面接触部８４を当該輸送装置１の前後移動方向と直交する方向における地面の向き（orientation）に適合（順応）させることができる。
【００８５】
上記ヒンジ１１８はロック可能である。ということは、該ヒンジ１１８を、中央歩行エレメント８０の地面接触部８４が所望の位置に順応した後に、如何なる角度位置でもロックすることができることを意味する。ヒンジ１１８をロックすることにより、中央歩行エレメント８０のシャフト８２と地面接触部８４との間の角度は、最早、変更することはできない。ということは、当該輸送装置１が中央歩行エレメント８０でのみ立っている場合、該装置は安定して立ち、上記ヒンジの軸の周りで傾斜することはないということである。図３８ａ及び３８ｂに示されるように、輸送装置１は当該地面における傾斜を持つ或る部分に立っている。この傾斜は、荷運搬体１０が水平となるような側部歩行エレメント２０，５０の異なる長さにより補償される。図３９ａ及び３９ｂには、中央歩行エレメント８０の水平アクチュエータ８８が該中央歩行エレメントを延長するように駆動されたことを示している。図３９ａにおける地面接触部８４の左側部分は既に地面に接触しているが、右側部分は依然として自由となっている。このフェーズにおいて、該中央歩行エレメント８０のヒンジ１１８はロックを解除されている。
【００８６】
図４０ａ及び４０ｂにおいて、垂直アクチュエータ１２２，１２６は地面接触部８４を、該地面接触部８４が全体的に地面に接触するまで下降させている。この状態において、上記ヒンジ１１８はロックされる。
【００８７】
図４１ａ及び４１ｂに見られるように、当該輸送装置１は、一方向に傾くことなく、中央歩行エレメント８０のみで立っている。
【００８８】
図４２ａ及び４２ｂにおいて、当該輸送装置１は、再び、中央歩行エレメント８０が最早地面に接触しないようにして２つの側部歩行エレメント２０，５０のみで立っている。見られるように、中央歩行エレメント８０の地面接触部８４は、当該地面の傾斜に順応するためにとられた姿勢に留まっている。ここでは、他の順応ステップに進むためにヒンジ１１８をロック解除することができるか、又は該ヒンジ１１８をロック状態に維持することもできる。このことは、当該地面の順応される傾斜が幾らかの距離にわたって続く場合に特に望ましい。
【００８９】
図４３〜４５は輸送装置１の第１４実施態様を示し、該実施態様は車輪３２，６２，１１２と分離された地面接触部８４との組み合わせを有している。歩行エレメント２０，５０，８０の車輪は垂直アクチュエータの間に配置されている。該第１４実施態様の他の新たなフィーチャは、中央歩行エレメント８０の地面接触部８４のデザインである。図４３及び４４に見られるように、２つの垂直アクチュエータ１２２，１２６の各々は下端に別個のヒンジ１１８を有している。このヒンジ１１８には、２つの地面接触部８４が取り付けられている。これら２つの地面接触部は、前後移動方向に直交する方向において互いに隔てられている。当該中央歩行エレメント８０の第２垂直アクチュエータに対しても、同一の構成の地面接触部が設けられる。これら２つの地面接触部の構成体は、前述したように、互いに独立にロックすることができる。従って、当該輸送装置１の地面接触部は、変化する地面に対して非常に柔軟に順応させることができる。
【００９０】
図４５は該第１４実施態様の概略正面図を示し、当該輸送装置１は全ての地面接触部２４，５４，８４で立っている。
【００９１】
図４６〜４８ｃは、前記他の実施態様で説明した輸送装置を使用する身体障害者用輸送装置２を示す。身体障害者は輸送装置１により立ち姿勢で動き回ることができると共に、障害物を越えて歩行し又は車輪で走行することができる。従って、当該輸送装置２は日常生活の全ての行動の間に、特に階段を上るために使用することができる。前述した実施態様に加えて、該第１５実施態様は回動アーム２１０、支持構造体２２０、胴部支持具２３０及び能動ヒンジ２４０（これらは、人昇降／固定構造体を形成する）を有している。人は、胴部固定具２３０により輸送装置２の回動アーム２１０に固定される。これに加えて、人は、ハンドグリップ（握り）装置２２０にしっかりと掴まり、自身を着座位置（着座姿勢）から立ち位置（立ち姿勢）まで起立させることができる。
【００９２】
図４８ａ〜４８ｃは身体障害者が輸送装置２に乗り込むのを支援する好ましい方法を示す。図４８ａでは、当該身体障害者が何らかの種類の椅子に座っていることが分かる。該輸送装置２の回動アーム２１０は当該人に向かう方向に回動して降下される。この姿勢において、人の脚は、該人が自身をベルトにより回動アーム２１０の胴部固定具２３０に固定することができるように持ち上げられる。図４８ｂに示される次のフェーズにおいて、該身体障害者用輸送装置２は垂直アクチュエータを、当該身体障害者が自身で起立することを一層快適にさせるために該輸送装置２が可能な限り地面に近づくように駆動する。回動アーム２１０が直立位置まで移動された場合、当該身体障害者は輸送装置１上の立ち位置まで起立される。該人は、上記ハンドグリップ装置２２０にしっかりと掴まることができる。該ハンドグリップ装置には、人が当該輸送装置を制御すること（特には、走行及び歩行運動）を可能にする如何なる種類の制御装置を取り付けることもできる。
【００９３】
図４８ｃは該身体障害者用輸送装置２の歩行方法を示している。該歩行方法は、例えば図４ａ〜４ｈに関する記載で説明した方法に対応する。
【００９４】
ハンドグリップ装置２２０は、着座した人の腰の高さまで又は該高さより下まで下降させることができる。このことは、当該人の完全な視界、及び当該輸送装置に結ばれている人による普通の机又は他の家具の使用を可能にする。
【００９５】
図４９〜５３は本発明の第１６実施態様を示す。ここでは、輸送装置１は別体の屋内装置３００のためのデッキ又はベイ（倉）として機能し、該屋内装置は残りの輸送装置１に接続し又は該輸送装置から分離することができる。
【００９６】
図４９は輸送装置１及び該輸送装置に連結された別体の屋内装置３００の正面図を示す。該電動式屋内装置３００により、身体障害者は建物内を立ち及び着座姿勢で容易に動き回ることができる。該身体障害者は日常生活において該屋内装置３００を“装着”することができると共に、該屋内装置３００を身体に結ばれせたまま座ることもできる。
【００９７】
当該別体の屋内装置３００は、ドイツ国特許出願第DE102011006359.5.1号（未公開）に詳細に記載されている。この屋内装置３００は、該屋内装置３００を操縦するための少なくとも１つのモータを備えたシャーシ、下端で該シャーシに回動可能に接続された回動アーム３１０、及び該回動アーム３１０の上端に接続された骨盤支持具３２０を有している。このような屋内移動支援装置３００によれば、身体障害者は上記骨盤支持具３２０が自身の身体に取り付けられたままで座ることができ、該屋内装置３００により上記シャーシ上での立った又は座った姿勢で動き回ることができ、自身を座った姿勢から立った姿勢へ変えることができる。好ましくは、該屋内装置３００の、当該人の身体に直接接触する構成要素を除き、座った人の骨盤の高より上に延びる全ての構成要素は、この高さ以下に低下させることができるようにする。
【００９８】
屋内装置３００は、身体障害者が日常生活において外部からの助けを余り必要とせず、且つ、車椅子、リフト装置等の装置を余り必要としないように、特に建物内での使用のために設計されている。輸送装置１との組み合わせで、当該屋内装置３００は、屋内及び屋外で使用することができると共に車輪で走行するか又は歩行エレメントで歩くことができる、モジュール型の身体障害者用移動支援装置１，３００として機能する。
【００９９】
身体障害者の安定した立ち姿勢を保証するために、上記屋内装置３００は好ましい実施態様において脛骨支持具３４０及びハンドグリップ３３０を更に有する。屋内装置３００は、該屋内装置３００の前部及び該屋内装置３００の後部に配置された支持バー３６０を有する。これら支持バー３６０は当該屋内装置３００の輸送装置１に対する機械的接続を行う。該支持バー３６０及び輸送装置１における対応する支持プレート４１２により、該屋内装置は望む場合に輸送装置１に連結することができる。これら支持バー３６０は、屋内装置３００が輸送装置１に連結された場合、該屋内装置３００の安定性を更に上昇させる。支持バー３６０は、当該輸送装置１が歩行エレメント２０，５０，９０，１００で歩行しているか、又は該輸送装置が屋内装置３００の車輪３７０で走行しているかの事実に依存して、屋内装置３００及び身体障害者の重力を輸送装置１に、及び逆に輸送装置１から屋内装置３００に伝達する。
【０１００】
更に、これらの支持バー３６０はオプションとして輸送装置１と屋内装置３００との間のエネルギ及び／又はデータ接続を行うことができる。このようにして、輸送装置１は屋内装置３００の制御装置により制御することができる。更に、屋内装置３００のエネルギ源は輸送装置１のエネルギ源（例えば、電池）を使用することにより節約することができる。
【０１０１】
輸送装置１は、２つの側部歩行エレメント２０，５０と、２つの中央歩行エレメント９０，１００と、荷運搬体１０の上記２つの中央歩行エレメント９０，１００の間の中央低下部１２とを有している。図示の実施態様における歩行エレメント２０，５０，９０，１００は障害物上を歩く場合の安定性を改善するために、各々、２つの地面接触部２４，５４，９４，１０４及び２つの垂直アクチュエータ２６，５６，９６，１０６を有している。
【０１０２】
屋内装置３００の中央部分には、追加の歩行エレメント（図示略）を組み込むことができる。この歩行エレメントは垂直運動のためのリニアアクチュエータ及び垂直軸の周りの回転のための回転アクチュエータを有する。この場合、該歩行エレメントは輸送装置１を持ち上げると共に、その場で該輸送装置１を回転させるために使用することができる。このことは、角を回る階段を歩行するために、又は回転するために僅かな空間しかない他の状況がある場合に特に有用である。
【０１０３】
荷運搬体１０の中央低下部１２は、固体板、好ましくは屋内装置３００の車輪３７０及び付加的な歩行エレメントのための凹部（孔）を備えたプレートから、最も好ましくは開放底からなることができる。中央低下部１２が屋内装置３００の車輪３７０及び付加的な歩行エレメントのための孔を備えたプレートからなる場合、該屋内装置が前記シャーシの底面の大部分により荷運搬体１０の該低下部１２上に載る場合に該屋内装置３００と輸送装置１との間の機械的連結の安定性を更に向上させることができる。
【０１０４】
上記中央低下部１２が屋内装置３００の車輪３７０のための孔を備えたプレートから又は開放底からなる場合、該屋内装置３００と輸送装置１との組み合わせを走行モードで動作させることができる。この“走行モード”において、輸送装置１の歩行エレメント２０，５０，９０，１００は引き込まれ、屋内装置３００と該輸送装置１との組み合わせは、該屋内装置３００の車輪３７０だけに載る。従って、輸送装置１と屋内装置３００との間の支持バー３６０による連結は、ロック可能に設計されねばならない。このように、歩行エレメント２０，５０，９０，１００が引き込まれ、最早、地面に接触していない場合、屋内装置３００は輸送装置１を運搬することができる。かくして、屋内装置３００が輸送装置１に連結されている場合にも、一層高速な走行モードで動き回ることができる。輸送装置１と屋内装置１との分離は、走行モードを使用するために必要ではない。
【０１０５】
“歩行モード”においては、輸送装置１の歩行エレメント２０，５０，９０，１００は伸長され、屋内装置３００と該輸送装置１との組み合わせは、該輸送装置１の地面接触部２４，５４，９４，１０４のみに載る。
【０１０６】
屋内装置３００を輸送装置１に接続するために、該屋内装置３００に固定された身体障害者は輸送装置１に“乗り込む”。好ましい実施態様においては、荷運搬体１の低下部１２上に前方向に及び／又は後方向に進入することができる。この目的のために、輸送装置１は下降された位置にされ、屋内装置３００がイモビライザ（固定）バー４１８（好ましくは、地面に接触する）を越えて進むことができるようにする。好ましい実施態様において、上記イモビライザバー４１８は前記低下部１２の下側前端に取り付けられる。屋内装置３００がイモビライザバー４１８を越えて進んだ場合、該イモビライザバー４１８は屋内装置３００が自身の位置に留まり、当該低下部１２から不注意に進み出ることが防止される。
【０１０７】
次のステップにおいて、当該身体障害者は輸送装置１を、該輸送装置１の制御手段により前記支持バー３６０が輸送装置１の支持プレート４１２に接続されるまで持ち上げる。好ましくは、これらの接続はロックすることができ、屋内装置３００と輸送装置１との組み合わせが走行モードにおいて屋内装置３００の車輪３７０のみに載っている場合に、該屋内装置３００が輸送装置１を運ぶことができることを可能にする。
【０１０８】
次のステップにおいて、当該身体障害者は安全性を増すために固定横木（クロスバー）４１４を支持プレート４１６に取り付けることができる。好ましい実施態様では、上記支持プレート４１６は当該輸送装置の制御装置に接続されており、上記固定クロスバーが該支持プレートに正しく取り付けられている場合にのみ、屋内装置３００と輸送装置１との組み合わせで走行／歩き回ることができるようにする。
【０１０９】
次のステップにおいて、当該身体障害者は望むように歩行又は走行することができる。組み合わせ装置３００，１の一部として、輸送装置１は一層大きく、屋外使用のために作製される。当該デッキが邪魔になりすぎるか又は屋外移動能力が必要でない場合、ユーザは輸送装置１を“乗り捨てる”ことができる。即ち、人は自宅からオフィスまで組み合わせ装置で歩行し、オフィスの入口で当該デッキを乗り捨て、次いで、オフィスビル内では屋内装置３００を使用する。
【０１１０】
好ましくは、輸送装置１は異なる幅に設計され、当該輸送装置を当該身体障害者の臀部の幅を考慮して適合させることができる。
【０１１１】
図５０ａ〜５０ｂは当該第１６実施態様の輸送装置１を示す。支持プレート４１２は、屋内装置３００の支持バー３６０の相手方として働く。これらの支持プレート４１２は、オプションとして、屋内装置３００と輸送装置１との結合を容易にするために心出しユニットを有することができる。更に、これらの支持プレート４１２は、オプションとして、輸送装置１と屋内装置３００との間のエネルギ及び／又はデータ接続を行うために使用することもできる。このようにして、輸送装置１は屋内装置３００の制御装置により制御することができ、従って屋内装置３００のエネルギ資源が節約される。
【０１１２】
前記イモビライザバー４１８、固定クロスバー４１４及び支持バー３６０は、安定性を向上させると共に、当該輸送装置１を使用する人の安全性を向上させる。全ての手段は、輸送装置１及び屋内装置３００が、連結されている間には、互いに移動し得ないことを、自身で及び好ましくは組み合わせで保証する。
【０１１３】
輸送装置１の後部パネル４２０は、当該輸送装置１の安定性を増加させる。加えて、この後部パネル４２０は、屋内装置３００及び輸送装置１の連結の間において屋内装置３００の前後方向における正しい位置を確かなものとするための停止面として働く。
【０１１４】
図５０ｂは前記固定クロスバー４１４の支持プレート４１６を詳細に示す。これらのプレート４１６は心出しユニット、ロック手段、安全手段等を有することもできる。例えば、支持プレート４１６の安全手段を輸送装置１の制御装置に接続することも可能である。従って、当該輸送装置１の動作を開始することができる前に、固定クロスバー４１４が正しくロックされていることを確実にすることができる。
【０１１５】
図５１ａ〜５１ｄは走行モードの屋内装置が連結された輸送装置１を３つの異なる斜視図で示す。
【０１１６】
図５２ａ及び５２ｂから分かるように、屋内装置により荷運搬体１０の中央低下部１２上に前方向及び後ろ方向に乗り込むことができる。屋内装置３００が何の方向で（後ろ方向に又は前方向に）輸送装置１に連結されるかは問題ではない。
【０１１７】
図５３ａ及び５３ｂは、荷運搬体１０の中央低下部１２上に前方向に乗り込まれた屋内装置３００を示している。図５３ａは固定クロスバー４１４が取り付けられていない状態を示している。図５３ｂは固定クロスバー４１４が定位置にあり、輸送装置１が屋外使用のための準備が整った状態を示している。
【０１１８】
上述した様に、障害物（例えば階段）上を特に平衡がとれ且つ安全な態様で歩行することを可能にする新規な輸送装置１が提示された。このような輸送装置は、更に、車輪による平坦な地面上の高速走行及び歩行エレメントによる障害物上の歩行の両方を可能にするために車輪を有することができる。これらの輸送装置１のフィーチャは、身体障害者の移動性を改善するための用途に特に有益である。このような輸送装置を使用することにより、身体障害者の屋内及び屋外の日常の移動の要求は高度に支援される。
【図１】
0006400046.tif 000002
【図２】
0006400046.tif 000003
【図３】
0006400046.tif 000004
【図４ａ】
0006400046.tif 000005
【図４ｂ】
0006400046.tif 000006
【図４ｃ】
0006400046.tif 000007
【図４ｄ】
0006400046.tif 000008
【図４ｅ】
0006400046.tif 000009
【図４ｆ】
0006400046.tif 000010
【図４ｇ】
0006400046.tif 000011
【図４ｈ】
0006400046.tif 000012
【図５】
0006400046.tif 000013
【図６】
0006400046.tif 000014
【図７】
0006400046.tif 000015
【図８】
0006400046.tif 000016
【図９】
0006400046.tif 000017
【図１０】
0006400046.tif 000018
【図１１】
0006400046.tif 000019
【図１２】
0006400046.tif 000020
【図１３】
0006400046.tif 000021
【図１４】
0006400046.tif 000022
【図１５】
0006400046.tif 000023
【図１６】
0006400046.tif 000024
【図１７】
0006400046.tif 000025
【図１８】
0006400046.tif 000026
【図１９】
0006400046.tif 000027
【図２０】
0006400046.tif 000028
【図２１】
0006400046.tif 000029
【図２２】
0006400046.tif 000030
【図２３】
0006400046.tif 000031
【図２４】
0006400046.tif 000032
【図２５】
0006400046.tif 000033
【図２６】
0006400046.tif 000034
【図２７】
0006400046.tif 000035
【図２８】
0006400046.tif 000036
【図２９】
0006400046.tif 000037
【図３０】
0006400046.tif 000038
【図３１】
0006400046.tif 000039
【図３２】
0006400046.tif 000040
【図３３】
0006400046.tif 000041
【図３４】
0006400046.tif 000042
【図３５】
0006400046.tif 000043
【図３６】
0006400046.tif 000044
【図３７】
0006400046.tif 000045
【図３８ａ】
0006400046.tif 000046
【図３８ｂ】
0006400046.tif 000047
【図３９ａ】
0006400046.tif 000048
【図３９ｂ】
0006400046.tif 000049
【図４０ａ】
0006400046.tif 000050
【図４０ｂ】
0006400046.tif 000051
【図４１ａ】
0006400046.tif 000052
【図４１ｂ】
0006400046.tif 000053
【図４２ａ】
0006400046.tif 000054
【図４２ｂ】
0006400046.tif 000055
【図４３】
0006400046.tif 000056
【図４４】
0006400046.tif 000057
【図４５】
0006400046.tif 000058
【図４６】
0006400046.tif 000059
【図４７】
0006400046.tif 000060
【図４８ａ】
0006400046.tif 000061
【図４８ｂ】
0006400046.tif 000062
【図４８ｃ】
0006400046.tif 000063
【図４９】
0006400046.tif 000064
【図５０ａ】
0006400046.tif 000065
【図５０ｂ】
0006400046.tif 000066
【図５１ａ】
0006400046.tif 000067
【図５１ｂ】
0006400046.tif 000068
【図５１ｃ】
0006400046.tif 000069
【図５１ｄ】
0006400046.tif 000070
【図５２ａ】
0006400046.tif 000071
【図５２ｂ】
0006400046.tif 000072
【図５３ａ】
0006400046.tif 000073
【図５３ｂ】
0006400046.tif 000074